(57)【要約】【課題】ソフトスタート回路としての機能を持たせながらソフトスタート回路を設けることによる不都合を抑制する。【解決手段】Ｐチャネル型のＦＥＴ４２のソースＳとゲートＧとの間に接続された抵抗Ｒ１と、エミッタが接地されたトランジスタＴ１と、トランジスタＴ１のコレクタとＦＥＴ４２のゲートＧとに接続された抵抗Ｒ２とからなる回路に、ＦＥＴ４２のゲートＧとドレインＤとの間にコンデンサＣ１を配置したソフトスタート回路に対して、コンデンサＣ１に抵抗Ｒ３を直列接続すると共に抵抗Ｒ３にダイオードＤ１を並列接続する。ＡＣアダプタ１２が接続されたときに抵抗Ｒ３によりコンデンサＣ１を充電する際の電流を大きく抑制してゲートＧが開くのを抑制すると共に電源スイッチがオンされたときには抵抗Ｒ３を介さずにダイオードＤ１と抵抗Ｒ２とを介してコンデンサＣ１を放電してソフトスタート回路の機能を実現することができる。【選択図】図３
2009183096.tif 000002
【特許請求の範囲】
【請求項１】
直流電源の接続と該接続の解除が可能で、前記直流電源からシステムへの電力の供給と遮断とを行なう電源回路であって、
前記直流電源と前記システムとを接続する電力ラインに取り付けられた半導体スイッチと、
前記半導体スイッチのゲートを開閉する電圧を設定するコンデンサを有し、前記直流電源が接続されたときには前記コンデンサが充電されたときに前記半導体スイッチのゲートを閉じ、前記直流電源が接続されている状態で電源スイッチがオンされたときには放電抵抗を介した前記コンデンサの放電を伴って前記半導体スイッチのゲートを徐々に開くソフトスタート回路と、
前記直流電源が接続されたときに前記コンデンサを流れる電流が抑制されるよう配置された電流抑制用の抵抗と、
前記コンデンサを放電する方向に前記電流抑制用の抵抗に並列接続されたダイオードと、
を備える電源回路。
【請求項２】
前記半導体スイッチは、ＦＥＴである請求項１記載の電源回路。
【請求項３】
請求項２記載の電源回路であって、
前記半導体スイッチは、ソースが前記直流電源側に接続されると共にドレインが前記システム側に接続されたＰチャネル型のＦＥＴであり、
前記コンデンサと前記電流抑制用の抵抗は、前記ＦＥＴのゲートとドレインとの間に配置され、
前記ＦＥＴのゲートとソースとの間に抵抗が配置されてなる
電源回路。
【請求項４】
前記半導体スイッチと前記システムとの間に介在するＤＣ／ＤＣコンバータを備える請求項１ないし３いずれか１項に記載の電源回路。
【請求項５】
印刷装置に搭載されてなる請求項１ないし４いずれか１項に記載の電源回路。
【発明の詳細な説明】
【技術分野】
【０００１】
本発明は、直流電源の接続と該接続の解除が可能で、前記直流電源からシステムへの電力の供給と遮断とを行なう電源回路に関する。
【背景技術】
【０００２】
従来、この種の電源回路としては、ＡＣアダプタを着脱可能なインクジェットプリンタなどの電子機器に搭載され、電源スイッチのオンオフによりＡＣアダプタからシステムの電源ラインへの電力の供給と遮断とを行なうものが提案されている（例えば、特許文献１参照）。
【特許文献１】特開２００６−２０９４７４号公報
【発明の開示】
【発明が解決しようとする課題】
【０００３】
ところで、上述した電源回路では、電源スイッチがオンされたときに過大な突入電流が生じないようＡＣアダプタと電源ラインとを継断する半導体スイッチ（ＦＥＴなど）にソフトスタート回路を搭載することができる。いま、このソフトスタート回路として、半導体スイッチのゲートを開閉するためのゲート電圧を設定するコンデンサを設け、ＡＣアダプタが装着されたときにＡＣアダプタからの電力によりコンデンサが充電されたときにゲートを閉じＡＣアダプタが装着されている状態で電源スイッチがオンとされたときに放電抵抗を介したコンデンサの放電を伴ってゲートを徐々に開くようにするよう構成することを考えると、ＡＣアダプタが装着された直後にコンデンサが充電されている最中には、コンデンサの充電電流により半導体スイッチのゲートに作用する電圧によりゲートを一時的に開き、電源スイッチをオンしていなくてもシステム側に給電される場合が生じる。コンデンサの容量を十分に大きなものを用いてコンデンサの充電電流を抑制することも考えることができるが、電源スイッチがオンされたときのコンデンサの放電も抑制されるから、電源スイッチがオンされてからの応答性が悪くなる。
【０００４】
本発明の電源回路は、ソフトスタート回路としての機能を持たせると共にソフトスタート回路を設けることによる不都合を抑制することを主目的とする。
【課題を解決するための手段】
【０００５】
本発明の電源回路は、上述の主目的を達成するために以下の手段を採った。
【０００６】
本発明の電源回路は、
直流電源の接続と該接続の解除が可能で、前記直流電源からシステムへの電力の供給と遮断とを行なう電源回路であって、
前記直流電源と前記システムとを接続する電力ラインに取り付けられた半導体スイッチと、
前記半導体スイッチのゲートを開閉する電圧を設定するコンデンサを有し、前記直流電源が接続されたときには前記コンデンサが充電されたときに前記半導体スイッチのゲートを閉じ、前記直流電源が接続されている状態で電源スイッチがオンされたときには放電抵抗を介した前記コンデンサの放電を伴って前記半導体スイッチのゲートを徐々に開くソフトスタート回路と、
前記直流電源が接続されたときに前記コンデンサを流れる電流が抑制されるよう配置された電流抑制用の抵抗と、
前記コンデンサを放電する方向に前記電流抑制用の抵抗に並列接続されたダイオードと、
を備えることを要旨とする。
【０００７】
この本発明の電源回路では、直流電源と前記システムとを接続する電力ラインに取り付けられた半導体スイッチのゲートを開閉する電圧を設定するコンデンサを有し直流電源が接続されたときにはコンデンサが充電されたときに半導体スイッチのゲートを閉じ直流電源が接続されている状態で電源スイッチがオンされたときには放電抵抗を介したコンデンサの放電を伴って半導体スイッチのゲートを徐々に開くソフトスタート回路を設け、直流電源が接続されたときにコンデンサを流れる電流が抑制されるよう電流抑制用の抵抗を配置すると共にコンデンサを放電する方向に電流抑制用の抵抗に並列接続されたダイオードを配置する。したがって、ソフトスタート回路としての機能を持たせることができると共にソフトスタート回路を設けることによる不都合、例えば、直流電源が接続された直後にコンデンサを充電する際に流れる電流により半導体スイッチのゲートに作用する電圧によりゲートが開いてシステム側に一時的に給電されたり、コンデンサとして大容量のものを用いることにより直流電源が接続された直後にコンデンサを充電する際に流れる電流は抑制するが電源スイッチがオンされてからコンデンサの放電を伴って半導体スイッチがオンする際の応答性が悪くなるなどの不都合を抑制することができる。
【０００８】
こうした本発明の電源回路において、前記半導体スイッチは、ＦＥＴであるものとすることもできる。この場合、前記半導体スイッチは、ソースが前記直流電源側に接続されると共にドレインが前記システム側に接続されたＰチャネル型のＦＥＴであり、前記コンデンサと前記電流抑制用の抵抗は、前記ＦＥＴのゲートとドレインとの間に配置され、前記ＦＥＴのゲートとソースとの間に抵抗が配置されてなるものとすることもできる。
【０００９】
また、本発明の電源回路において、前記半導体スイッチと前記システムとの間に介在するＤＣ／ＤＣコンバータを備えるものとすることもできる。この場合、本発明を適用することにより、昇圧コンバータの誤起動を抑制することができる。
【００１０】
さらに、本発明の電源回路において、印刷装置に搭載されてなるものとすることもできる。
【発明を実施するための最良の形態】
【００１１】
次に、本発明を実施するための最良の形態を図面を用いて説明する。図１は、本発明の一実施形態である電源回路４０を搭載するフォトプリンタ１０の外観斜視図およびブロック図、図２は、フォトプリンタ１０の背面斜視図である。
【００１２】
本実施形態のフォトプリンタ１０は、図１に示すように、用紙Ｐにインクを吐出して印刷を行なうプリンタユニット２０と、プリンタ本体の上面に配置され印刷に関する各種操作を行なうための操作パネル３０と、フォトプリンタ１０全体の制御を司るコントローラ５０と、フォトプリンタ１０の作動に必要な電力を供給する電源回路４０とを備える。
【００１３】
プリンタユニット２０は、プリンタ本体の内部に搭載され、用紙Ｐを搬送する紙送りローラ２１やその他の図示しない搬送ローラを駆動可能な紙送りモータ２２と、キャリッジモータ２３ａと従動ローラ２３ｂとに架け渡されたベルト２４により紙送りローラ２１に平行に配置されたガイドレール２５に沿って主走査方向に往復動するキャリッジ２６と、溶媒としての水に着色剤としての染料または顔料を含有したブラック（Ｋ），シアン（Ｃ），マゼンタ（Ｍ），イエロー（Ｙ）の各色のインクを個別に収容するインクカートリッジ２７と、インクカードリッジ２７からインクの供給を受けると共にインクを加圧することによりインク滴を吐出する印刷ヘッド２８とを備える。ここで、インクカードリッジ２７は、プリンタユニット２０の下方に取り付けられており、インクカードリッジ２７がキャリッジ２６上に搭載されていない、いわゆるオフキャリッジタイプとして構成されている。また、印刷ヘッド２８は、本実施形態では、圧電素子に電圧を印加してこの圧電素子を変形させることによりインクを加圧してインク滴を吐出する方式を採用しているが、発熱抵抗体（例えばヒータなど）に電圧を印加してインクを加熱することにより発生した気泡によりインクを加圧してインク滴を吐出する方式を採用するものとしてもよい。
【００１４】
操作パネル３０は、文字や図形，記号を表示可能な液晶のディスプレイ３２と、このディスプレイ３２の周囲に配置されたボタン群３４とを備える。ボタン群３４は、図１に示すように、電源のオンオフを行なうための電源ボタン３４ａ、ディスプレイ３２に表示されている画像等の表示サイズを６分割表示・１５分割表示・全画面表示等に切り替えるための表示切替ボタン３４ｂ、印刷機能に関する複数の選択肢が並んだメインメニュー画面を呼び出すためのメニューボタン３４ｃ、操作を途中でキャンセルしたり用紙Ｐへの印刷を途中で中断したりするためのキャンセルボタン３４ｄ、用紙Ｐへの印刷実行を指示するためのプリントボタン３４ｅ、ディスプレイ３２に表示された複数の選択肢の中から所望の選択肢を選択したりカーソルを移動したりするときに操作される上下左右ボタン３４ｆ、この上下左右ボタン３４ｆの中央に配置され上下左右ボタン３４ｆによって選択されている選択肢に決定したことを指示するためのＯＫボタン３４ｇなどにより構成されている。
【００１５】
メインコントローラ５０は、図１に示すように、ＣＰＵ５１と中心としたマイクロプロセッサとして構成されており、ＣＰＵ５１の他に、処理プログラムを記憶するＲＯＭ５２と、データを一時的に記憶するＲＡＭ５３と、入出力ポート５５と、印刷ヘッド２８に印刷信号を出力する転送用バッファ５６とを備えており、これらはバス５７を介して電気的に接続されている。このメインコントローラ５０には、操作パネル３０のボタン類からの操作信号などが入力ポート５５を介して入力されており、メインコントローラ５０からは、印刷ヘッド２８への制御信号やキャリッジモータ２３ａへの駆動信号，紙送りモータ２２への駆動信号，ディスプレイ３２への表示信号などが出力ポート５５を介して出力されている。
【００１６】
フォトプリンタ１０は、図２に示すように、家庭用の交流電力（例えば、ＡＣ１００ＶやＡＣ２００Ｖなど）を直流電力（例えば、ＤＣ２０Ｖなど）にＡＣ−ＤＣ変換するＡＣアダプタ１２を介して電力の供給を受けて作動できるようにもなっており、背面側にはＡＣアダプタ１２のＤＣプラグ１２ａを差し込み可能なＤＣジャック１１が形成されている。なお、フォトプリンタ１０は、背面側に電池パック１８を着脱可能に形成されており、電池パック１８からの電力の供給を受けて作動できるようにもなっている。電池パック１８は、複数のリチウムイオン電池が直列接続されたものとして構成されており、満充電の状態で約１６．８Ｖの直流電力を出力する。
【００１７】
図３は、電源回路４０の回路図である。電源回路４０は、ソースＳがＡＣアダプタ１２側に接続されたＰチャネル型のＦＥＴ（電界効果トランジスタ）４２と、ＦＥＴ４２のソースＳとゲートＧとの間に接続された抵抗Ｒ１（例えば、１００ｋΩ）と、エミッタがグランドに接地され電源ボタン３４ａのオンオフに伴ってオンオフするトランジスタＴ１と、トランジスタＴ１のコレクタとＦＥＴ４２のゲートＧとに接続された抵抗Ｒ２（例えば、１００ｋΩ）と、ＦＥＴ４２のゲートＧとドレインＤとの間に接続されたコンデンサＣ１と、ゲートＧとコンデンサＣ１とに接続され抵抗Ｒ１や抵抗Ｒ２よりも大きな抵抗値の抵抗Ｒ３（例えば、１０００ｋΩ）と、ドレインＤからゲートＧの方向に抵抗Ｒ３に並列接続されたダイオードＤ１と、ＦＥＴ４２のドレインＤに入力側が接続されると共に駆動モータ２２や印刷ヘッド２８などの駆動系に給電するための電力ライン４３に出力側が接続され入力側の電圧（例えば、ＤＣ２０Ｖ）を駆動系に適した駆動用の電圧（例えば、ＤＣ４２Ｖ）に昇圧して出力側に出力する昇圧コンバータ４４と、駆動系の電力ライン４３に入力側が接続されると共にメインコントローラ５０などの制御系に給電するための電力ライン４５に出力側が接続され入力側の電圧（例えば、ＤＣ４２Ｖ）を制御系に適した制御用の電圧（例えば、ＤＣ３．３Ｖ）に降圧して出力側に出力する降圧コンバータ４６と、電力ライン４３に接続され昇圧コンバータ４４により昇圧された電圧の平滑化を行なうと共に降圧コンバータ４６の出力側（制御系）に必要なエネルギを蓄えるためのコンデンサＣ２と、を備える。なお、電源回路４０には、電源ボタン３４ａがオフとされた際にコンデンサＣ１の電荷を抵抗Ｒ２，ダイオードＤ２を介して放電したりコンデンサＣ２の電荷を抵抗Ｒ４，ダイオードＤ３を介して放電したりするためのスイッチ４８も設けられている。
【００１８】
昇圧コンバータ４４は、ＦＥＴ４２のドレインＤに接続されたコイル４４ａと、出力側の方向にコイル４４ａに直列接続されたダイオード４４ｂと、コイル４４ａとダイオード４４ｂとの接続点にコレクタが接続されると共にエミッタが接地されたトランジスタ４４ｃと、トランジスタ４４ｃをオンオフ制御する昇圧コントローラ４４ｄとにより構成されている。
【００１９】
こうして構成された電源回路４０の動作について説明する。図４は、図３の電源回路４０におけるａ点の電位とｂ点の電位とｃ点の電位とｄ点の電位とｅ点の電位の時間変化の様子を示す説明図である。電源回路４０は、ＡＣアダプタ１２（ＤＣ２０Ｖ）が接続されると（時刻ｔ１１）、ａ点の電位はステップ的に上昇し、ＡＣアダプタ１２から抵抗Ｒ１と抵抗Ｒ３とを介して電流が流れてコンデンサＣ１を充電する。このとき、ＦＥＴ４２のゲートＧとドレインＤとの間には抵抗Ｒ１よりも抵抗値の大きな抵抗Ｒ３が接続されているから、コンデンサＣ１を流れる電流は大きく抑制され、ＦＥＴ４２のゲートＧに作用する電圧（ｂ点の電位）はａ点の電位の上昇に伴って迅速に上昇する。従って、ＦＥＴ４２のゲートＧは一時的に開く場合があるものの、その時間は極短時間なものとなるから、昇圧コンバータ４４が起動することはない。なお、降圧コンバータ４６は、昇圧コンバータ４４で駆動系の電力ライン４３の電圧が昇圧されなくても起動し、降圧された電圧がメインコントローラ５０などの制御系の電力ライン４５に作用して一時的に制御系を動作させる場合があるが、上述したように、昇圧コンバータ４４は起動することがないから、制御系が動作しても駆動系が誤動作を起こすことはない。ＡＣアダプタ１２が接続されている状態で電源ボタン３４ａがオンとされると（時刻ｔ１２）、トランジスタＴ１がオンとされ、充電されているコンデンサＣ１は抵抗Ｒ２を介して放電し、ｂ点の電位を徐々に低下させる。これに伴ってＦＥＴ４２のゲートＧが徐々に開き、昇圧コンバータ４４が起動する共に降圧コンバータ４６が起動して駆動系や制御系への給電が開始される。
【００２０】
図５は、比較例の電源回路４０Ｂの構成の概略を示す構成図である。比較例の電源回路４０Ｂでは、主として、ソフトスタート回路上で抵抗Ｒ３およびダイオードＤ１を備えない点と、ＦＥＴ４２の出力側に対して駆動系に給電する昇圧コンバータ４４と制御系に給電する降圧コンバータ４６とが並列に配置されている点で本実施形態の電源回路４０と異なる。なお、比較例の電源回路４０Ｂでは、ＦＥＴ４２の出力側には降圧コンバータ４６の出力側（制御系）に必要なエネルギを蓄えるために抵抗Ｒ５およびこれに逆並列接続されたダイオードＤ４を介してコンデンサＣ３が取り付けられている。比較例の電源回路４０Ｂでは、本実施形態の電源回路４０と対応する構成については同一の番号を付し、その説明は重複するから省略する。比較例の電源回路４０ＢのコンデンサＣ４は、ソフトスタート回路として機能させるための本実施形態の電源回路４０のコンデンサＣ１に相当するが、コンデンサＣ１よりも大きな容量のものを用いている。即ち、比較例の電源回路４０Ｂでは、ＡＣアダプタ１２が接続されると、ＡＣアダプタ１２から抵抗Ｒ１を介してコンデンサＣ４を充電するが、大容量のコンデンサＣ４によりその充電電流を抑制することにより、ＦＥＴ４２のゲートＧが開くのを抑制している。こうした比較例の電源回路４０Ｂでは、コンデンサＣ４を充電する際の電流を抑制することができるものの、電源ボタン３４ａがオンとされてトランジスタＴ１がオンしたときのコンデンサＣ４の放電も緩やかに行なわれることから、ＦＥＴ４２のゲートＧを開くタイミングが遅くなり過ぎ、電源ボタン３４ａのオン操作に対する起動のタイミングも遅くなる。一方、比較例の電源回路４０ＢのコンデンサＣ４に代えて本実施形態の電源回路４０と同じ容量のコンデンサＣ１を配置すると、ＡＣアダプタ１２が接続されたときにコンデンサＣ１を充電する際の電流を抑制することができないから、ＦＥＴ４２のゲートＧが比較的長時間に亘って開き、昇圧コンバータ４４が起動し、これに伴って駆動モータ２２や印刷ヘッド２８などの駆動系にその駆動に必要な電圧が作用して、駆動系が誤動作を起こす場合が生じる。本実施形態では、ＡＣアダプタ１２が接続されたときにコンデンサＣ１を充電する際には抵抗Ｒ３によりその充電電流を大きく抑制することにより電源ボタン３４ａがオンとされる前にＦＥＴ４２のゲートＧが開くのを抑制し、電源ボタン３４ａがオンとされたときにはコンデンサＣ１の放電は抵抗Ｒ３を介さずにダイオードＤ１を介して行なうから電源ボタン３４ａがオンされたときのシステムの起動も比較的素早くすることができるのである。
【００２１】
ここで、本実施形態の構成要素と本発明の構成要素との対応関係を明らかにする。本実施形態のＦＥＴ４２が「半導体スイッチ」に相当し  Ｐチャネル型のＦＥＴ４２のソースＳとゲートＧとの間に接続された抵抗Ｒ１とエミッタが接地されたトランジスタＴ１とトランジスタＴ１のコレクタとＦＥＴ４２のゲートＧとに接続された抵抗Ｒ２とからなる回路にＦＥＴ４２のゲートＧとドレインＤとの間にコンデンサＣ１を配置したものが「ソフトスタート回路」に相当し、抵抗Ｒ３が「電流抑制用の抵抗」に相当し、ダイオードＤ１が「ダイオード」に相当する。
【００２２】
以上詳述した本実施形態のフォトプリンタ１０によれば、Ｐチャネル型のＦＥＴ４２のソースＳとゲートＧとの間に接続された抵抗Ｒ１とエミッタが接地されたトランジスタＴ１とこのトランジスタＴ１のコレクタとＦＥＴ４２のゲートＧとに接続された抵抗Ｒ２とからなる回路にＦＥＴ４２のゲートＧとドレインＤとの間にコンデンサＣ１を配置したソフトスタート回路に対して、コンデンサＣ１に抵抗Ｒ３を直列接続すると共に抵抗Ｒ３にダイオードＤ１を並列接続するから、ＡＣアダプタ１２が接続されたときに抵抗Ｒ１よりも大きな抵抗Ｒ３によりコンデンサＣ１を充電する際の電流を大きく抑制してゲートＧが開くのを抑制すると共に電源ボタン３４ａがオンされたときには抵抗Ｒ３を介さずにダイオードＤ１と抵抗Ｒ２とを介してコンデンサＣ１を放電してソフトスタート回路の機能を実現することができる。この結果、ソフトスタート回路として機能させると共にソフトスタート回路を設ける際の不都合、例えば、ＡＣアダプタ１２が接続された直後にコンデンサＣ１を充電する際に流れる電流によりＦＥＴ４２にゲートＧに作用する電圧によりゲートＧが開いて駆動系や制御系に給電されたり、コンデンサＣ１として大容量のものを用いることによりＡＣアダプタ１２が接続された直後にコンデンサＣ１を充電する際に流れる電流は抑制するが電源スイッチ４３ａがオンされてからのコンデンサＣ１の放電も過度に抑制されてＦＥＴ４２のゲートＧが開く際の応答性が悪くなるなどの不都合を抑制することができる。
【００２３】
本実施形態では、半導体スイッチとしてＰチャネル型のＦＥＴ４２にコンデンサＣ１からなるソフトスタート回路を組み込むと共に抵抗Ｒ３とダイオードＤ１とを配置するものとしたが、これに限定されるものではなく、Ｎチャネル型のＦＥＴを用いるものとしてもよいし、コンデンサを用いてゲートに作用させる電圧を設定することによりソフトスタート回路を形成可能であれば他の如何なる半導体スイッチを用いるものとしてもよい。
【００２４】
本実施形態では、本発明の電源回路をフォトプリンタ１０に適用して説明したが、これに限定されるものではなく、ＡＣアダプタなどの直流電源を着脱可能な機器であれば、パーソナルコンピュータなどの他の如何なる電気機器に適用するものとしても構わない。
【００２５】
以上、本発明の実施形態について説明したが、本発明は上述した実施形態に何ら限定されることはなく、本発明の技術的範囲に属する限り種々の態様で実施し得ることは勿論である。
【図面の簡単な説明】
【００２６】
【図１】本実施形態のフォトプリンタ１０の外観斜視図およびブロック図。
【図２】フォトプリンタ１０を背面側から見た斜視図。
【図３】電源回路４０の回路図。
【図４】電源回路４０のａ〜ｅ点の各電位の時間変化の様子を示す説明図。
【図５】比較例の電源回路４０Ｂの回路図。
【符号の説明】
【００２７】
１０  フォトプリンタ、１１  ＤＣジャック、１２  ＡＣアダプタ、１８  電池パック、２０  プリンタユニット、２１  紙送りローラ、２２  紙送りモータ、２３ａ  キャリッジモータ、２３ｂ  従動ローラ、２４  キャリッジベルト、２５  ガイドレール、２６  キャリッジ、２７  インクカートリッジ、２８  印刷ヘッド、３０  操作パネル、３２  ディスプレイ、３４  ボタン類、３４ａ  電源ボタン、３４ｂ  表示切替ボタン、３４ｃ  メニューボタン、３４ｄ  キャンセルボタン、３４ｅ  プリントボタン、３４ｆ  上下左右ボタン、３４ｇ  ＯＫボタン、４０，４０Ｂ  電源回路、４２  ＦＥＴ、４３  電力ライン、４４  昇圧コンバータ、４４ａ  コイル、４４ｂ  ダイオード、４４ｃ  トランジスタ、４４ｄ  昇圧コントローラ、４５  電力ライン、４６  降圧コンバータ、４８  スイッチ、５０  メインコントローラ、５１  ＣＰＵ、５２  ＲＯＭ、５３  ＲＡＭ、５５  入出力ポート、５６  転送バッファ、５７  バス、Ｒ１〜Ｒ５  抵抗、Ｄ１〜Ｄ５  ダイオード、Ｔ１  トランジスタ、Ｃ１〜Ｃ４  コンデンサ。
【図１】
2009183096.tif 000003
【図２】
2009183096.tif 000004
【図３】
2009183096.tif 000005
【図４】
2009183096.tif 000006
【図５】
2009183096.tif 000007